(57)【要約】【課題】共振周波数を容易に調整する。【解決手段】放射素子２３には、高周波信号が供給され、放射素子２３は、その高周波信号に応じた電波を放射し、放射素子２３の端辺から所定の間隔を隔てて、複数の金属導体２６が配置され、ワイヤボンド２７は、複数の金属導体２６のうちの少なくとも一部の金属導体２６と、放射素子２３とを接続する。そして、ワイヤボンド２７により放射素子２３に接続される金属導体２６の個数は、マイクロストリップアンテナの共振周波数に基づいて設定されている。本発明は、例えば、マイクロストリップアンテナに適用できる。【選択図】図６
2009118407.tif 000002
【特許請求の範囲】
【請求項１】
高周波信号での通信に用いられるマイクロストリップアンテナにおいて、
高周波信号が供給され、電波を放射する放射素子と、
前記放射素子の端辺から、所定の間隔を隔てて配置される複数の金属小片と、
複数の前記金属小片のうちの少なくとも一部の金属小片と、前記放射素子とを接続するワイヤボンドと
を備え、
前記ワイヤボンドにより前記放射素子に接続される前記金属小片の個数は、前記マイクロストリップアンテナによる通信の周波数に基づいて設定されている
マイクロストリップアンテナ。
【請求項２】
前記放射素子の端辺から、前記ワイヤボンドが前記放射素子に接続されている接続点までの長さは、前記マイクロストリップアンテナによる通信の周波数に基づいて設定されている
請求項１に記載のマイクロストリップアンテナ。
【請求項３】
前記放射素子の端辺から、複数の前記金属小片が配置されている箇所までの所定の間隔は、前記マイクロストリップアンテナによる通信の周波数に基づいて設定されている
請求項１に記載のマイクロストリップアンテナ。
【請求項４】
前記放射素子の端辺から前記金属小片に向かう方向の前記金属小片の長さは、前記マイクロストリップアンテナによる通信の周波数に基づいて設定されている
請求項１に記載のマイクロストリップアンテナ。
【発明の詳細な説明】
【技術分野】
【０００１】
本発明は、マイクロストリップアンテナに関し、特に、共振周波数を容易に調整することができるようにしたマイクロストリップアンテナに関する。
【背景技術】
【０００２】
従来、基板の表面と裏面にそれぞれアンテナ電極と接地電極を配置し、アンテナ電極と接地電極との間にマイクロ波の高周波信号を印加することによって、アンテナ電極から垂直方向へ電波を発信させるマイクロストリップアンテナが知られている。
【０００３】
図１を参照して、マイクロストリップアンテナについて説明する。
【０００４】
図１ａには、マイクロストリップアンテナ１１の斜視図が示されており、図１ｂには、マイクロストリップアンテナ１１の上面図が示されている。また、図１ｃには、図１ｂに示されている矢印Ａ−Ａでのマイクロストリップアンテナ１１の断面図が示されており、図１ｄには、マイクロストリップアンテナ１１の底面図が示されている。
【０００５】
マイクロストリップアンテナ１１は、誘電体１２、放射素子１３、地板導体１４、および同軸線１５から構成される。
【０００６】
誘電体１２は、誘電体損失の低いフッ素系樹脂のファイバなどからなる基板であり、誘電体１２の表面には放射素子１３が配置され、誘電体１２の裏面には地板導体１４が配置される。
【０００７】
放射素子１３は、電波を放射するアンテナ電極であり、同軸線１５を介して供給されるマイクロ波の高周波信号に応じた電波を放射する。また、放射素子１３は、誘電体１２の表面に貼り付けられた、例えば、鉄、銅、アルミニウム、チタニウム、またはマグネシウムなど金属を、矩形のパターンでエッチングすることにより作成される。
【０００８】
地板導体１４は、グランドレベルに接地されている接地電極であり、放射素子１３よりも広い面積となるように、例えば、誘電体１２の裏面の略全面に設けられている。
【０００９】
同軸線１５は、誘電体１２および地板導体１４を貫通して、放射素子１３の裏面に接続されており、放射素子１３にマイクロ波の高周波信号を給電する。また、同軸線１５は、放射素子１３の中心に対してオフセットした位置に接続されており、図１ｂにおいては、放射素子１３の上側の端辺に向かってオフセットした位置に接続されている。
【００１０】
ここで、同軸線１５が放射素子１３に接続されている点（以下、適宜、給電点と称する）が、放射素子１３の中心からオフセットしている方向に沿う放射素子１３の端辺（図１ｂにおいて左右の端辺）の長さをｂとし、この方向に直交する方向に沿う放射素子１３の端辺（図１ｂにおいて上下の端辺）の長さをａとする。また、誘電体１２の厚さをｈとする。
【００１１】
このように構成されているマイクロストリップアンテナ１１の共振周波数は、一般に、誘電体１２の誘電率εや、放射素子１３の長さｂなどに基づいて決まる性質がある。
【００１２】
従って、放射素子１３を作成する際におけるエッチングのパターン精度のバラツキによって、放射素子１３の長さｂが、規定の長さと異なってしまうと、マイクロストリップアンテナ１１の共振周波数が、マイクロストリップアンテナ１１による通信で規定されている周波数と異なってしまう。例えば、放射素子１３の長さｂが短くなると、マイクロストリップアンテナ１１の共振周波数は高くなり、放射素子１３の長さｂが長くなると、マイクロストリップアンテナ１１の共振周波数は低くなる。
【００１３】
具体的に、マイクロストリップアンテナ１１がミリ波である60GHz帯を利用して通信を行う場合について説明する。
【００１４】
図２は、マイクロストリップアンテナ１１の周波数特性を表す図である。図２において、横軸は、放射素子１３に入力される信号の周波数を示しており、縦軸は、放射素子１３に入力される電力の損失（反射量）を表すリターンロスを示している。
【００１５】
また、図２には、マイクロストリップアンテナ１１の誘電体１２の誘電率εを3.5とし、誘電体１２の厚さｈを0.1mmとし、放射素子１３の長さａおよび長さｂをそれぞれ1.25mmとしたときのマイクロストリップアンテナ１１の周波数特性をシミュレーションした結果が示されており、このとき、マイクロストリップアンテナ１１の共振周波数は、58.4GHzとなる。
【００１６】
ここで、放射素子１３のパターン精度のバラツキが±２％であるとすると、放射素子１３の長さａおよび長さｂの最大値は、それぞれ1.275mmとなり、最小値は、それぞれ1.225mmとなる。
【００１７】
図３には、放射素子１３の長さａおよび長さｂがそれぞれ1.275mmであるとしたときのマイクロストリップアンテナ１１の周波数特性をシミュレーションした結果が示されており、このとき、マイクロストリップアンテナ１１の共振周波数は、57.4GHzとなる。
【００１８】
図４には、放射素子１３の長さａおよび長さｂがそれぞれ1.225mmであるとしたときのマイクロストリップアンテナ１１の周波数特性をシミュレーションした結果が示されており、このとき、マイクロストリップアンテナ１１の共振周波数は、59.4GHzとなる。
【００１９】
このように、放射素子１３のパターン精度のバラツキが±２％であるとき、マイクロストリップアンテナ１１の周波数特性には±１GHzのズレが生じてしまい、より良好な通信を行うためには、このズレを調整する必要がある。
【００２０】
例えば、特許文献１には、放射素子の端辺に凹部と凸部からなる共振周波数調整部を設け、凹部をはんだなどで埋めることにより、マイクロストリップアンテナの共振周波数を調整する技術が開示されている。また、特許文献１においては、マイクロストリップアンテナの共振周波数は、1.4GHz程度とされており、共振周波数調整部の凸部の高さおよび凹部の深さは、0.6mmとされている。
【００２１】
このような、共振周波数が1.4GHz程度であるマイクロストリップアンテナの共振周波数の調整方法を、例えば、共振周波数が60GHz程度であるマイクロストリップアンテナに適用する場合、共振周波数が約４０倍であることより、共振周波数調整部の凸部の高さおよび凹部の深さを約１／４０にしなければならない。この場合、共振周波数調整部の凸部および凹部が非常に微小となるので、その凹部をはんだなどで埋めることが非常に難しくなり、取り扱いが煩雑となる。
【００２２】
【特許文献１】特開平７−７４５３４号公報
【発明の開示】
【発明が解決しようとする課題】
【００２３】
上述したように、従来のマイクロストリップアンテナの共振周波数の調整方法を、従来よりも高い共振周波数のマイクロストリップアンテナに適用することは難しく、マイクロストリップアンテナの共振周波数を容易に調整することは困難であった。
【００２４】
本発明は、このような状況に鑑みてなされたものであり、共振周波数を容易に調整することができるようにするものである。
【課題を解決するための手段】
【００２５】
本発明の一側面のマイクロストリップアンテナは、高周波信号での通信に用いられるマイクロストリップアンテナであって、高周波信号が供給され、電波を放射する放射素子と、前記放射素子の端辺から、所定の間隔を隔てて配置される複数の金属小片と、複数の前記金属小片のうちの少なくとも一部の金属小片と、前記放射素子とを接続するワイヤボンドとを備え、前記ワイヤボンドにより前記放射素子に接続される前記金属小片の個数は、前記マイクロストリップアンテナによる通信の周波数に基づいて設定されている。
【００２６】
本発明の一側面においては、放射素子には高周波信号が供給され、放射素子は電波を放射し、複数の金属小片が、放射素子の端辺から、所定の間隔を隔てて配置される。また、ワイヤボンドは、複数の金属小片のうちの少なくとも一部の金属小片と、放射素子とを接続する。そして、ワイヤボンドにより放射素子に接続される金属小片の個数は、マイクロストリップアンテナによる通信の周波数に基づいて設定されている。
【発明の効果】
【００２７】
本発明の一側面によれば、共振周波数を容易に調整することができる。
【発明を実施するための最良の形態】
【００２８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２９】
本発明の一側面のマイクロストリップアンテナは、高周波信号での通信に用いられるマイクロストリップアンテナであって、
高周波信号が供給され、電波を放射する放射素子（例えば、図６の放射素子２３）と、
前記放射素子の端辺から、所定の間隔を隔てて配置される複数の金属小片（例えば、図６の金属導体２６）と、
複数の前記金属小片のうちの少なくとも一部の金属小片と、前記放射素子とを接続するワイヤボンド（例えば、図６のワイヤボンド２７）と
を備え、
前記ワイヤボンドにより前記放射素子に接続される前記金属小片の個数は、前記マイクロストリップアンテナによる通信の周波数に基づいて設定されている。
【００３０】
以下、本発明を適用した具体的な実施の形態について、図面を参照しながら詳細に説明する。
【００３１】
図５は、本発明を適用したマイクロストリップアンテナの一実施の形態の構成例を示す上面図および断面図である。
【００３２】
図５ａには、マイクロストリップアンテナ２１の上面図が示されており、図５Ｂには、図５Ａに示されている矢印Ｂ−Ｂでのマイクロストリップアンテナ２１の断面図が示されている。また、図５ａには、マイクロストリップアンテナ２１の一部（破線の楕円で囲われている領域）が拡大されて表示されている。
【００３３】
図５において、マイクロストリップアンテナ２１は、誘電体２２、放射素子２３、地板導体２４、同軸線２５、およびＮａ個（図５では１１個）の金属導体２６から構成される。
【００３４】
ここで、マイクロストリップアンテナ２１は、地板導体２４、誘電体２２、放射素子２３、および同軸線２５を備える点で、図１のマイクロストリップアンテナ１１と同様に構成されており、その詳細な説明は省略する。但し、マイクロストリップアンテナ２１は、金属導体２６を備える点で、マイクロストリップアンテナ１１と異なっている。
【００３５】
金属導体２６は、放射素子２３と同一の金属からなり、放射素子２３の端辺から、ギャップｇだけ離れた位置に、一列に配置されている。図５においては、金属導体２６は、放射素子２３に同軸線２５が接続されている給電点が放射素子２３の中心からオフセットしている方向の端辺に対して、反対側の端辺の付近に配置されている。なお、放射素子２３の端辺は、放射素子２３を上方から見たときの輪郭線である。
【００３６】
また、金属導体２６の個数Ｎａは奇数であり、中心線（放射素子２３の中心と給電点を通る線）に対して対称となるように配置されている。また、以下、中心線に沿う方向をＹ方向とし、中心線に直交する方向をＸ方向とする。
【００３７】
ここで、図５に示すように、金属導体２６のＸ方向の長さをＩｘとし、Ｙ方向の長さをＩｙとする。また、金属導体２６どうしのＸ方向の間隔をｄとする。
【００３８】
そして、マイクロストリップアンテナ２１の誘電体２２の誘電率εを3.5とし、誘電体２２の厚さｈを0.1mmとし、放射素子２３の長さａおよび長さｂをそれぞれ1.25mmとし、金属導体２６の長さＩｘおよび長さＩｙをそれぞれ0.05mmとし、ギャップｇを0.05mmとし、個数Ｎａを１１とし、間隔ｄを0.05mmとしたとき、マイクロストリップアンテナ２１の共振周波数は、60.59GHzとなる。以下、適宜、この共振周波数を基準周波数ｆｏと称する。
【００３９】
一般に、放射素子２３の長さｂを調整することにより、マイクロストリップアンテナの共振周波数を調整することができる。マイクロストリップアンテナ２１では、例えば、ワイヤボンディングにより放射素子２３と金属導体２６とを接続することで、等価的に、放射素子２３の長さｂを変更することができる。従って、マイクロストリップアンテナ２１では、放射素子２３に接続される金属導体２６の個数をパラメータとして、マイクロストリップアンテナ２１の共振周波数が、通信で規定されている周波数となるように調整すること、即ち、基準周波数ｆｏから変更することができる。
【００４０】
図６には、５個の金属導体２６が、ワイヤボンド２７により放射素子２３に接続されているマイクロストリップアンテナ２１が示されている。具体的には、中心線上の１個の金属導体２６と、その金属導体２６の左右２個ずつの４個の金属導体２６とが、ワイヤボンド２７により放射素子２３に接続されている。
【００４１】
例えば、シミュレーションや試作などにおいてワイヤボンド２７の本数Ｎｗ（即ち、放射素子２３に接続される金属導体２６の個数）を変えて、マイクロストリップアンテナ２１を用いて行われる通信で規定されている周波数となるようなワイヤボンド２７の本数Ｎｗを求め、その結果得られた本数Ｎｗのワイヤボンド２７で放射素子２３と金属導体２６とを接続することにより、マイクロストリップアンテナ２１の共振周波数が調整される。
【００４２】
また、放射素子２３の端辺から、ワイヤボンド２７が放射素子２３上で接続される接地地点までの長さ（以下、適宜、ワイヤボンド２７の長さｓと称する）を変更することによっても、マイクロストリップアンテナ２１の共振周波数が変更され、ワイヤボンド２７の長さｓも、マイクロストリップアンテナ２１の共振周波数を調整するパラメータとして用いることができる。
【００４３】
次に、図７乃至１２には、ワイヤボンド２７の本数Ｎｗまたはワイヤボンド２７の長さｓをパラメータとして、マイクロストリップアンテナ２１の共振周波数の変移をシミュレーションしたシミュレーション結果が示されている。
【００４４】
図７は、ワイヤボンド２７の長さｓを0.025mmで固定し、ワイヤボンド２７の本数Ｎｗを１，３，５，７，９，１１に変更したときのマイクロストリップアンテナ２１の周波数特性を示す図である。
【００４５】
図７において、横軸は、放射素子２３に入力される信号の周波数を示しており、縦軸は、放射素子２３に入力される電力の損失を表すリターンロスを示している。また、シミュレーション結果Ｓ０乃至Ｓ６は、ワイヤボンド２７の本数Ｎｗを変更したときのマイクロストリップアンテナ２１の周波数特性をシミュレーションした結果を表している。
【００４６】
シミュレーション結果Ｓ０は、ワイヤボンド２７の本数Ｎｗが０であるときのマイクロストリップアンテナ２１の周波数特性、即ち、図５に示すように、金属導体２６が放射素子２３に接続されていない状態でのマイクロストリップアンテナ２１の周波数特性を表しており、その共振周波数は基準周波数ｆｏである。
【００４７】
また、シミュレーション結果Ｓ１は、ワイヤボンド２７の本数Ｎｗが１であるときのマイクロストリップアンテナ２１の周波数特性を表しており、シミュレーション結果Ｓ２は、ワイヤボンド２７の本数Ｎｗが３であるときのマイクロストリップアンテナ２１の周波数特性を表しており、以下、同様に、シミュレーション結果Ｓ６は、ワイヤボンド２７の本数Ｎｗが１１であるときのマイクロストリップアンテナ２１の周波数特性を表している。
【００４８】
図７に示すように、ワイヤボンド２７の本数Ｎｗが１から１１に増加するに従って、マイクロストリップアンテナ２１共振周波数は低減する。
【００４９】
次に、図８は、ワイヤボンド２７の長さｓを0.125mmで固定し、ワイヤボンド２７の本数Ｎｗを１，３，５，７，９，１１に変更したときのマイクロストリップアンテナ２１の周波数特性を示す図である。
【００５０】
また、図９は、ワイヤボンド２７の長さｓを0.225mmで固定し、ワイヤボンド２７の本数Ｎｗを１，３，５，７，９，１１に変更したときのマイクロストリップアンテナ２１の周波数特性を示す図である。
【００５１】
図８および図９において、図７と同様に、横軸は周波数を示しているとともに、縦軸はリターンロスを示しており、シミュレーション結果Ｓ０は、金属導体２６が放射素子２３に接続されていない状態でのマイクロストリップアンテナ２１の周波数特性を表している。また、シミュレーション結果Ｓ１乃至Ｓ６は、ワイヤボンド２７の本数Ｎｗが１，３，５，７，９，１１であるときのマイクロストリップアンテナ２１の周波数特性をシミュレーションした結果をそれぞれ表している。
【００５２】
図８および図９に示すように、ワイヤボンド２７の本数Ｎｗが１から１１に増加するに従って、マイクロストリップアンテナ２１共振周波数は低減する。
【００５３】
次に、図１０は、ワイヤボンド２７の本数Ｎｗを３で固定し、ワイヤボンド２７の長さｓを0.025mm，0.125mm，0.225mmに変更したときのマイクロストリップアンテナ２１の周波数特性を示す図である。
【００５４】
図１０において、横軸は、放射素子２３に入力される信号の周波数を示しており、縦軸は、放射素子２３に入力される電力の損失を表すリターンロスを示している。また、シミュレーション結果Ｓ１乃至Ｓ３は、ワイヤボンド２７の長さｓを変更したときのマイクロストリップアンテナ２１の周波数特性をシミュレーションした結果を表している。
【００５５】
シミュレーション結果Ｓ０は、図７乃至図９と同様に、金属導体２６が放射素子２３に接続されていない状態でのマイクロストリップアンテナ２１の周波数特性を表しており、その共振周波数は基準周波数ｆｏである。
【００５６】
また、シミュレーション結果Ｓ１は、ワイヤボンド２７の長さｓが0.025mmであるときのマイクロストリップアンテナ２１の周波数特性を表しており、シミュレーション結果Ｓ２は、ワイヤボンド２７の長さｓが0.125mmであるときのマイクロストリップアンテナ２１の周波数特性を表しており、シミュレーション結果Ｓ３は、ワイヤボンド２７の長さｓが0.225mmであるときのマイクロストリップアンテナ２１の周波数特性を表している。
【００５７】
図１０に示すように、ワイヤボンド２７の長さｓが、0.025mmから0.225mmへと長くなるに従って、マイクロストリップアンテナ２１の共振周波数は低減する。
【００５８】
次に、図１１は、ワイヤボンド２７の本数Ｎｗを７で固定し、ワイヤボンド２７の長さｓを0.025mm，0.125mm，0.225mmに変更したときのマイクロストリップアンテナ２１の周波数特性を示す図である。
【００５９】
また、図１２は、ワイヤボンド２７の本数Ｎｗを１１で固定し、ワイヤボンド２７の長さｓを0.025mm，0.125mm，0.225mmに変更したときのマイクロストリップアンテナ２１の周波数特性を示す図である。
【００６０】
図１１および図１２において、図１０と同様に、横軸は周波数を示しているとともに、縦軸はリターンロスを示しており、シミュレーション結果Ｓ０は、金属導体２６が放射素子２３に接続されていない状態でのマイクロストリップアンテナ２１の周波数特性を表している。また、シミュレーション結果Ｓ１乃至Ｓ３は、ワイヤボンド２７の長さｓが0.025mm，0.125mm，0.225mmであるときのマイクロストリップアンテナ２１の周波数特性をシミュレーションした結果をそれぞれ表している。
【００６１】
図１１および図１２に示すように、ワイヤボンド２７の長さｓが0.025mmから0.225mmへと長くなるに従って、マイクロストリップアンテナ２１共振周波数は低減する。
【００６２】
以上のように、マイクロストリップアンテナ２１では、ワイヤボンド２７の本数Ｎｗおよびワイヤボンド２７の長さｓをパラメータとして、その共振周波数を調整することができる。
【００６３】
これにより、例えば、放射素子２３を作成する際のパターン精度にバラツキがあったとしても、そのバラツキを考慮してシミュレーションなどにより求められるワイヤボンド２７の本数Ｎｗおよびワイヤボンド２７の長さｓに従って、放射素子２３と金属導体２６とを接続することにより、マイクロストリップアンテナ２１の共振周波数を、マイクロストリップアンテナ２１での通信で規定されている周波数に調整することができる。
【００６４】
また、同一のマスクパターンでマイクロストリップアンテナを作成した後に、用途に応じて、その共振周波数を容易に調整する（ずらす）ことができ、共振周波数ごとに異なるマスクパターンでマイクロストリップアンテナを作成する場合よりも、作成コストを低減させることができる。
【００６５】
また、放射素子２３と金属導体２６との接続に、例えば、はんだを採用した場合には、金属導体２６の端辺に放射素子２３が接続されてしまい、ワイヤボンド２７の長さｓをパラメータとした共振周波数の調整を行うことができない。
【００６６】
これに対し、ワイヤボンディングを採用した場合には、共振周波数を調整する際に、ワイヤボンド２７の長さｓをパラメータとすることができ、共振周波数の調整範囲をより広くすることができるとともに、接続点を微調整することで、共振周波数を微調整することができる。また、例えば、放射素子２３と金属導体２６との接続が不要であるとされた場合に、ワイヤボンド２７は、はんだよりも容易に除去することができる。また、ワイヤボンディングは、基板を量産する工程において一般的に用いられている技術であり、放射素子２３と金属導体２６とを接続する作業に容易に適用することができ、金属導体２６が微細であっても、放射素子２３と金属導体２６とを容易に接続することができる。
【００６７】
なお、マイクロストリップアンテナ２１の共振周波数を調整するパラメータとしては、放射素子２３と金属導体２６との間のギャップｇや、金属導体２６のＹ方向の長さＩｙを用いることができる。例えば、ギャップｇを広くすると、マイクロストリップアンテナ２１の共振周波数が低くなり、ギャップｇを狭くすると、マイクロストリップアンテナ２１の共振周波数が高くなる。また、長さＩｙを長くすると、マイクロストリップアンテナ２１の共振周波数が低くなり、長さＩｙを短くすると、マイクロストリップアンテナ２１の共振周波数が高くなる。
【００６８】
また、本実施の形態では、正方形の金属導体２６が用いられているが、金属導体２６の形状としては、正方形の他、円形や他の多角形などを採用することができる。また、金属導体２６は、図５に示すように、放射素子２３の１端辺の近傍にのみ設けられているが、放射素子２３の４端辺のいずれの近傍に設けられてもよい。
【００６９】
さらに、放射素子２３は、誘電体１２の裏面から高周波信号の供給を受ける他、例えば、放射素子２３に接続されるマイクロストリップラインを誘電体１２の表面に設け、そのマイクロストリップラインにより高周波信号の供給を受けるようにしてもよい。また、誘電体１２が多層構造となっているときには、それらの層の間に、放射素子２３に接続されるマイクロストリップラインを設けてもよい。
【００７０】
また、本実施の形態では、60GHz程度の電波を用いて通信を行うマイクロストリップアンテナ２１について説明したが、本発明は、それぞれの用途に応じて、ミリ波またはマイクロ波の電波（例えば、30GHz〜300GHzの電波）を用いて通信を行うマイクロストリップアンテナに適用することができる。
【００７１】
なお、本発明の実施の形態は、上述した実施の形態に限定されるものではなく、本発明の要旨を逸脱しない範囲において種々の変更が可能である。
【図面の簡単な説明】
【００７２】
【図１】従来のマイクロストリップアンテナを説明する図である。
【図２】マイクロストリップアンテナ１１の周波数特性を表す図である。
【図３】マイクロストリップアンテナ１１の周波数特性を表す図である。
【図４】マイクロストリップアンテナ１１の周波数特性を表す図である。
【図５】本発明を適用したマイクロストリップアンテナの一実施の形態の構成例を示す図である。
【図６】金属導体２６がワイヤボンド２７により放射素子２３に接続されているマイクロストリップアンテナ２１を示す図である。
【図７】マイクロストリップアンテナ２１の周波数特性を示す図である。
【図８】マイクロストリップアンテナ２１の周波数特性を示す図である。
【図９】マイクロストリップアンテナ２１の周波数特性を示す図である。
【図１０】マイクロストリップアンテナ２１の周波数特性を示す図である。
【図１１】マイクロストリップアンテナ２１の周波数特性を示す図である。
【図１２】マイクロストリップアンテナ２１の周波数特性を示す図である。
【符号の説明】
【００７３】
２１  マイクロストリップアンテナ，  ２２  誘電体，  ２３  放射素子，  ２４  地板導体，  ２５  同軸線，  ２６  金属導体，  ２７  ワイヤボンド
【図１】
2009118407.tif 000003
【図２】
2009118407.tif 000004
【図３】
2009118407.tif 000005
【図４】
2009118407.tif 000006
【図５】
2009118407.tif 000007
【図６】
2009118407.tif 000008
【図７】
2009118407.tif 000009
【図８】
2009118407.tif 000010
【図９】
2009118407.tif 000011
【図１０】
2009118407.tif 000012
【図１１】
2009118407.tif 000013
【図１２】
2009118407.tif 000014